(57)【要約】【課題】  表示された画像の表示領域の拡張又は縮小が簡単で、見やすい画像表示形態が得られるようにする。【解決手段】  画像表示部７は画像を表示する。入力部９は画像表示部７上のリスト画像における任意の指示箇所の操作入力を受ける。操作判別部１７は、操作部９における指示箇所が所定の基準スライド範囲以上の範囲で連続してスライド入力されたか否か判別する。操作判別部１７は、当該スライド範囲がその基準スライド範囲以上のとき、その指示箇所のスタート位置に係るリスト画像の表示エリアをスライド方向に拡張又は縮小表示変更情報を出力する。制御部１は表示変更情報に基づき画像表示部７における当該リスト画像の伸縮表示を制御する。【選択図】  図１
2009128661.tif 000002
【特許請求の範囲】
【請求項１】
画像を表示する画像表示部と、
この画像表示部上の表示画像における任意の指示箇所の操作入力を受ける入力部と、
この入力部における前記指示箇所が所定の基準スライド範囲以上の範囲で連続してスライド入力されたか否か判別し、当該スライド範囲が前記基準スライド範囲以上のとき、前記指示箇所のスタート位置に係る前記表示画像の表示エリアを前記スライド方向に拡張又は縮小する表示変更情報を出力する操作判別部と、
前記表示変更情報に基づき前記画像表示部における当該画像の伸縮表示を制御する制御部と、
を具備することを特徴とする表示画像制御装置。
【請求項２】
前記操作判別部は、前記スライド方向が、右又は下方向要素を含むとき拡張表示変更情報を出力し、左又は上方向要素を含むとき縮小表示変更情報を出力する請求項１記載の表示画像制御装置。
【請求項３】
前記操作判別部は、前記スライド方向が、斜め右下方向であるとき、縦横のスライド量に応じた２次元拡張表示変更情報を出力し、斜め左上方向であるとき、縦横のスライド量に応じた２次元縮小表示変更情報を出力する請求項２記載の表示画像制御装置。
【請求項４】
前記操作判別部は、前記スライド範囲が前記基準スライド範囲に達しないとき、前記操作入力位置に割当てられた操作選択機能と判別し、当該操作選択情報を出力する請求項１〜３いずれか１記載の表示画像制御装置。
【請求項５】
操作入力を受ける前記表示画像はリスト表示である請求項１〜４いずれか１記載の表示画像制御装置。
【請求項６】
画像表示部上に表示された表示画像の表示エリアを拡張又は縮小制御する制御用コンピュータに対し、
前記画像を画像表示部に表示する画像表示処理と、
前記画像表示部上の表示画像における任意の指示箇所の操作入力を受ける入力処理と、
この入力処理による前記指示箇所が所定の基準スライド範囲以上の範囲で連続してスライド入力されたか否か判別し、当該スライド範囲が前記基準スライド範囲以上のとき、前記指示箇所のスタート位置に係る前記表示画像の表示エリアを前記スライド方向に拡張又は縮小する表示変更情報を出力する操作判別処理と、
前記表示変更情報に基づき前記画像表示部における当該画像の伸縮表示を制御する画像変更制御処理と、
を実行させることを特徴とする表示画像処理プログラム。
【請求項７】
前記操作判別処理は、前記スライド方向が、右又は下方向要素を含むとき拡張表示変更情報の出力処理を実行し、左又は上方向要素を含むとき縮小表示変更情報の出力処理を実行する請求項６記載の表示画像処理プログラム。
【請求項８】
前記操作判別処理は、前記スライド方向が、斜め右下方向であるとき、縦横のスライド量に応じた２次元拡張表示変更情報の出力処理を実行し、斜め左上方向であるとき、縦横のスライド量に応じた２次元縮小表示変更情報の出力処理を実行する請求項７記載の表示画像処理プログラム。
【請求項９】
前記操作判別処理は、前記スライド範囲が前記基準スライド範囲に達しないとき、前記操作入力位置に割当てられた操作選択機能と判別し、当該操作選択情報の出力処理を実行する請求項６〜８いずれか１記載の表示画像処理プログラム。
【請求項１０】
操作入力を受ける前記表示画像はリスト表示である請求項６〜９いずれか１記載の表示画像処理プログラム。
【発明の詳細な説明】
【技術分野】
【０００１】
本発明は表示画像制御装置および表示画像処理プログラムに係り、例えば複合機（ＭＦＰ：Multi Function Peripheral）等の画像形成装置に用いて好適する表示画像制御装置および表示画像処理プログラムの改良に関する。
【背景技術】
【０００２】
複合機等の画像形成装置においては、操作機能や動作状態の表示に加えて、ファクシミリや電子メールの通信相手一覧その他の表示が可能なように、例えば液晶タイプの表示部を備えている。各種の電子機器においても同様である。
【０００３】
ところが、複合機等の表示部としては、パーソナルコンピュータのディスプレイとは異なり、比較的小さな画面寸法のものが搭載されているから、表示情報が小領域でしか表示できない難点がある。
【０００４】
そこで、例えば特開平９−２０４５４０号公報（特許文献１）の画像処理装置が提供されている。
【０００５】
この特許文献１は、レイアウトプログラムと画像処理プログラムとを有する画像処理装置において、レイアウトプログラムの実行によってレイアウトされた複数の画像部品をＣＲＴに表示し、ＣＲＴに表示された複数の画像部品から１つの画像部品が選択されたことを選択認識手段で認識し、選択された画像部品が処理可能な画像処理プログラムを起動手段で起動し、選択された画像部品の画像を表示制御手段でＣＲＴに拡大表示する構成を有し、修正したい画像部品を表示手段上で選択することにより、レイアウトプログラムが画像処理プログラムに切り替えてその画像部品を拡大表示し、画像処理作業を容易にしたものである。
【０００６】
また、例えば特開２００６−１１４９６４号公報（特許文献２）のリモコン装置も提供されている。
【０００７】
この特許文献２は、ドットマトリックス表示器と、複数の操作スイッチと、被制御機器とを遠隔操作する通信部とを備え、ドットマトリックス表示器に表示する画面をメモ帳等のイメージで表現し、画面に配置されたアイコンを操作することでリスト表示画面を呼び出すことを可能に構成し、使用者が画面構成をイメージし易くするとともに、多機能で複雑なリモコン操作表示を分かり易くしたものである。
【特許文献１】特開平９−２０４５４０号公報
【特許文献２】特開２００６−１１４９６４号公報
【発明の開示】
【発明が解決しようとする課題】
【０００８】
しかしながら、上述した特許文献１では、これを例えば通信相手一覧その他のリスト表示に応用すると、表示領域の拡大とともにリスト表示行の文字サイズも拡大されてしまうため、リストの下方を選択したい場合、下方のリストが表示領域の外に溢れて操作性が良くない難点がある。
【０００９】
他方、特許文献２では、これを通信相手一覧その他のリスト表示に応用する場合、リスト表示画面の呼出元がアイコンとなるため、リスト数が多いと、呼び出されたリスト表示画面が見やすい態様で表示され難くなる欠点があり、改善が望まれている。
【００１０】
本発明はそのような課題を解決するためになされたもので、表示された表示画像の表示領域の拡張、縮小が可能で、見やすい画像表示形態を得ることが容易な表示画像制御装置および表示画像処理プログラムの提供を目的とする。
【課題を解決するための手段】
【００１１】
そのような課題を解決するために本発明に係る表示画像制御装置は、画像を表示する画像表示部と、この画像表示部上の表示画像における任意の指示箇所の操作入力を受ける入力部と、この入力部における指示箇所が所定の基準スライド範囲以上の範囲で連続してスライド入力されたか否か判別し、当該スライド範囲がその基準スライド範囲以上のとき、その指示箇所のスタート位置に係る表示画像の表示エリアをそのスライド方向に拡張又は縮小する表示変更情報を出力する操作判別部と、その表示変更情報に基づき画像表示部における当該画像の伸縮表示を制御する制御部とを具備している。
【００１２】
本発明の表示画像制御装置では、上記スライド方向が右又は下方向要素を含むとき上記操作判別部が拡張表示変更情報を出力し、左又は上方向要素を含むとき上記操作判別部が縮小表示変更情報を出力する構成も可能である。
【００１３】
本発明の表示画像制御装置では、上記スライド方向が斜め右下方向であるとき上記操作判別部が縦横のスライド量に応じた２次元拡張表示変更情報を出力し、斜め左上方向であるとき上記操作判別部が縦横のスライド量に応じた２次元縮小表示変更情報を出力する構成も可能である。
【００１４】
本発明の表示画像制御装置では、そのスライド範囲が基準スライド範囲に達しないとき、上記操作判別部が、その操作入力位置に割当てられた操作選択機能と判別して当該操作選択情報を出力する構成も可能である。
【００１５】
本発明の表示画像制御装置では、操作入力を受ける上記表示画像がリスト表示である構成も可能である。
【００１６】
本発明に係る表示画像処理プログラムでは、画像表示部上に表示された表示画像の表示エリアを拡張又は縮小制御する制御用コンピュータに対し、画像を画像表示部に表示する画像表示処理と、この画像表示部上の表示画像における任意の指示箇所の操作入力を受ける入力処理と、この入力処理による指示箇所が所定の基準スライド範囲以上の範囲で連続してスライド入力されたか否か判別し、当該スライド範囲がその基準スライド範囲以上のとき、その指示箇所のスタート位置に係る表示画像の表示エリアをそのスライド方向に拡張又は縮小する表示変更情報を出力する操作判別処理と、その表示変更情報に基づきその画像表示部における当該画像の伸縮表示を制御する画像変更制御処理とを実行させるものである。
【００１７】
本発明の表示画像処理プログラムでは、そのスライド方向が右又は下方向要素を含むとき、上記操作判別処理で拡張表示変更情報の出力処理を実行し、左又は上方向要素を含むとき、上記操作判別処理で縮小表示変更情報の出力処理を実行する構成も可能である。
【００１８】
本発明の表示画像処理プログラムでは、そのスライド方向が斜め右下方向であるとき、上記操作判別処理が縦横のスライド量に応じた２次元拡張表示変更情報の出力処理を実行し、斜め左上方向であるとき、上記操作判別処理が縦横のスライド量に応じた２次元縮小表示変更情報の出力処理を実行する構成も可能である。
【００１９】
本発明の表示画像処理プログラムでは、そのスライド範囲が基準スライド範囲に達しないとき、上記操作判別処理がその操作入力位置に割当てられた操作選択機能と判別し、当該操作選択情報の出力処理を実行する構成も可能である。
【００２０】
本発明の表示画像処理プログラムでは、操作入力を受ける上記表示画像がリスト表示において実行する構成も可能である。
【発明の効果】
【００２１】
このような本発明に係る表示画像制御装置および表示画像処理プログラムでは、画像を画像表示部に表示し、この画像表示部上の表示画像における任意の指示箇所の操作入力を入力部から受け、操作判別処理にて、その入力処理による指示箇所が所定の基準スライド範囲以上の範囲で連続してスライド入力されたか否か判別するとともに当該スライド範囲が基準スライド範囲以上のとき、その指示箇所のスタート位置に係る表示画像の表示エリアをそのスライド方向に拡張又は縮小する表示変更情報を出力し、画像変更制御部にて、その表示変更情報に基づきその画像表示部における当該画像の伸縮表示を制御するから、表示された表示画像に対するスライド指示範囲を長くすることによって表示領域の拡張や縮小が可能が可能で、見やすい画像表示形態を得ることが容易となる。
【００２２】
本発明において、そのスライド方向が右又は下方向要素を含むとき拡張表示変更情報を出力し、左又は上方向要素を含むとき縮小表示変更情報を出力する構成では、スライド方向に応じて拡張又は縮小画面が得られる。
【００２３】
本発明において、そのスライド方向が斜め右下方向であるとき、縦横のスライド量に応じた２次元拡張表示変更情報を出力し、斜め左上方向であるとき縦横のスライド量に応じた２次元縮小表示変更情報を出力する構成では、スライド量に応じた拡張画面又は縮小画面が得られる。
【００２４】
本発明において、そのスライド範囲が基準スライド範囲に達しないとき、その操作入力位置に割当てられた操作選択機能と判別して当該操作選択情報を出力する構成では、そのスライド範囲が小さいときには、本来の操作入力位置に割当てられた操作選択機能の動作を達成することが可能である。
【００２５】
本発明において、上記表示画像がリスト表示において実行する構成では、特に、表示に必要な表示領域が広いので、拡張又は縮小を使い分けることにより、操作性が向上する。
【発明を実施するための最良の形態】
【００２６】
以下、本発明に係る実施の形態を図面を参照して説明する。なお、本発明に係る表示画像制御装置は複合機に搭載された状態で説明し、更に、本発明に係る表示画像処理プログラムはその表示画像制御装置を説明する過程で説明する。
【００２７】
図１は本発明に係る表示画像制御装置を搭載した複合機Ａを示す概略ブロック図である。
【００２８】
複合機Ａは、制御部１を中心としてこれに接続された画像読取部３、記憶部５、画像表示部７、操作部９、印刷部１１および通信部１３を有して構成された画像形成装置である。複合機Ａは、これら以外にも構成要素を有するが、本発明の要部ではないので説明および図示を省略する。なお、制御部１の機能については後述する。
【００２９】
画像読取部３は、制御部１の制御の下、原稿から画像を光学的に読み込み、フィルタ処理等した電子的画像データを印刷ジョブとして生成する公知のスキャナーであり、生成した印刷ジョブが原稿の頁毎に記憶部５に順次記憶されるようになっている。
【００３０】
記憶部５は、制御部１の制御の下、画像読取部３又は通信部１３からの印刷ジョブ、制御部１の動作プログラム、選択ボタン画像、後述するリスト画像、基準スライド範囲等を記憶する読み書き可能な例えばハードディスク（ＨＤＤ）である。リスト画面および基準スライド範囲については後述する。
【００３１】
画像表示部７は、複合機Ａに配置された公知の例えば液晶ディスプレイ等であり、複合機Ａにおける動作上の諸データを表示する他、「コピー実行」、「コピー枚数」、「濃度」、「モノクロ／カラー」、「用紙カセット」等々の上述した選択ボタン画像、リスト画像を表示する機能を有している。
【００３２】
操作部９は、複合機Ａにおいて画像表示部７上に重ねるように配置された透過形の例えばタッチパネルスイッチ等からなり、複合機Ａに対して文字等の符号入力や、上述した選択ボタン画像の選択入力およびリスト画像に対する選択指示の入力を受ける入力部であり、入力された符号その他の情報が制御部１に出力される。
【００３３】
操作部９は、画像表示部７上の表示画像領域において押下（タッチ）した状態で板面上をスライドさせることにより、スライド入力点、スライド方向およびスライド量に係るスライド変位情報を制御部１に出力する機能を有している。
【００３４】
例えば図２に示すように、操作部９の操作表示画面において、表示画像領域の指示箇所すなわち押下（タッチ）位置「ｘ、ｙ」点をスタート位置として、この「ｘ、ｙ」点から押下（タッチ）した状態で板面上を連続してスライドさせ、「Ｘ、Ｙ」点又は「Ｘ’、Ｙ’」点で押下解除（リリース）したとき、スライド量をカウントするとともにスライド方向を認識し、スライド方向およびスライド量に係るスライド変位情報を制御部１に出力する機能を有している。
【００３５】
なお、図２中の幅方向の値「ｗ」および縦方向の値「ｈ」が、上述した基準スライド範囲であって例えば数ｍｍ〜１ｃｍ程度の値であり、後述する表示変更情報を出力しない範囲である。
【００３６】
印刷部１１は、制御部１に制御の下、印刷ジョブから画像イメージデータを作成展開して印刷用紙にモノクロ又はカラー印刷して画像形成する公知の印刷エンジンである。
【００３７】
通信部１３は、制御部１の制御の下、ネットワーク１５を介して外部の電子機器例えば複合機（画像形成装置）Ｂに接続されており、所定のデータ伝送プロトコルに従って複合機Ｂとの間で電子メールやファクシミリを送受信するインターフェースである。データ転送プロトコルとしては、例えばＴＣＰ／ＩＰ（（simple network management protocol）、その他の使用が可能である。
【００３８】
なお、通信部１３は、当該複合機Ａがネットワーク１５を介して複合機Ｂ等に接続されたとき、所定のアドレス等によって複合機Ｂ等との間で自動的に接続が構築される。
【００３９】
制御部１は、ＣＰＵ、このＣＰＵの起動プログラムを記憶したＲＯＭその他を有し、記憶部５に記憶されたアプリケーションプログラムによって画像読取部３、記憶部５、画像表示部７、操作部９、印刷部１１および通信部１３を制御するとともに、以下の機能を有している。
【００４０】
制御部１は、上述したアプリケーションプログラムや図示しない設定情報に基づき、画像読取部３や通信部１３からの印刷ジョブを記憶部５に記憶制御する機能、その印刷ジョブを印刷部１１に渡して印刷制御（画像形成制御）する機能、および複合機Ｂとの間でデータ通信をする機能を有している。
【００４１】
制御部１は、スライド変位情報に基づき、図２に示したように、操作部９における押下（タッチ）位置「ｘ、ｙ」点から押下解除（リリース）位置「Ｘ、Ｙ」点又は「Ｘ’、Ｙ’」点までのスライド範囲が、所定の基準スライド範囲（ｗ、ｈ）を超えてスライド入力されたか否か判別し、当該スライド範囲が基準スライド範囲以上のとき、その押下（タッチ）位置「ｘ、ｙ」点に係る表示画像の表示エリアをスライド方向に対してスライド量に応じて２次元的に拡張する表示変更情報を出力する操作判別部１７としての機能を有している。当然、画像表示部７の表示範囲に限定される。
【００４２】
他方、操作判別部１７は、そのスライド範囲が基準スライド範囲（ｗ、ｈ）内であれば、拡張又は縮小する表示変更情報を出力せずに、その押下（タッチ）位置「ｘ、ｙ」点に係る表示画像の操作選択情報を出力する機能を有している。
操作選択情報は、表示画像における当該表示エリアに割り当てられた機能、例えば「コピー実行」、「コピー枚数」又は「用紙カセット」等々の選択や、リスト画像中の個々の宛先選択等の操作入力である。
【００４３】
リスト画像は、例えば図３に示すように、複数の電子メールの一覧であり、宛先名の他、宛先の詳細（電子メールアドレス）を一覧にした画像であり、予め記憶部５に記憶されている。なお、図３はリスト画像の拡張動作を説明する図であるが、後述する。
【００４４】
機能判別部１７は、スライド方向が斜め左上方向であるとき、すなわち、図２において、押下（タッチ）位置「Ｘ’、Ｙ’」点から押下解除（リリース）位置「Ｘ、Ｙ」点までのスライド範囲が、所定の基準スライド範囲（ｗ、ｈ）以上のとき、その押下（タッチ）位置「Ｘ、Ｙ」点（「ｘ、ｙ」点）に係る表示画像の表示エリアをスライド方向に対してスライド量に応じて２次元的に縮小する表示変更情報を出力する機能を有している。
【００４５】
操作判別部１７は、スライド範囲が基準スライド範囲に達しないとき、操作入力位置に割当てられた操作選択機能と判別し、当該操作選択情報を出力する機能を有している。
【００４６】
制御部１は、操作部９の表示面が押下（タッチ）されたとき、当該表示画像領域への選択受付を禁止し、上述した表示変更情報に基づき画像表示部７における当該画像の拡張又は縮小（伸縮）表示制御した後、当該表示画像に対する選択受付の禁止解除を処理し、操作選択情報に基づき操作実行を制御する機能も有している。
【００４７】
すなわち、操作部９の表示面が押下（タッチ）されたとき、当該表示画像領域への選択受付を禁止して当該画像の拡張又は縮小（伸縮）表示制御を確保し、その後又は伸縮表示制御しないとき、選択受付の禁止解除がなされる。
【００４８】
次に、本発明に係る表示画像制御装置の動作を図４のフローチャートを参照して簡単に説明する。なお、一例として表示画像の拡張動作を説明する。
【００４９】
プログラムがスタートし、ステップＳ１において、操作部９に対する押下およびリリースによるスライド操作があると、ステップＳ２にて制御部１が操作部９への選択受付の禁止処理を実行し、続く、ステップＳ３では、操作判別部１７がリリース座標（Ｘ’、Ｙ’）が「ｘ<Ｘ’<ｘ＋ｗ」かつ「ｙ<Ｙ’<ｙ＋ｈ」か否か、すなわち基準スライド範囲以上か否か判別する。
【００５０】
リリース座標（Ｘ’、Ｙ’）からスライド量が基準スライド範囲に至らずステップＳ３がＹＥＳであればステップＳ５に移り、スライド量が基準スライド範囲以上であってステップＳ３がＮＯであればステップＳ４に移り、操作判別部１７がリスト表示領域を拡大する表示変更情報を制御部１に出力するとともに、制御部１が画像表示部７にその画像を拡張表示制御してステップＳ５に移る。
【００５１】
次いで、ステップＳ５では、制御部１がリスト表示領域への選択受付の禁止解除処理をして終了する。
【００５２】
これらの処理が本発明の表示画像処理プログラムによって実行される。
【００５３】
ちなみに、図３Ｂは、同図Ａのリスト画像に対して下方向（ｈ方向）にのみスライドして拡張した状態を示し、同図Ｃは同図Ａのリスト画像に対して斜め右下方向（ｈ、ｗ方向）にスライドして拡張した状態を示しており、同図３Ｂでは表示される宛先が増加し、同図Ｃではそれに加えて個々の宛先について詳細まで表示されているのが分かる。
【００５４】
このように、本発明に係る表示画像制御装置は、リスト画像を表示する画像表示部７と、この画像表示部７上のリスト画像における任意の指示箇所の操作入力を受ける操作部（入力部）９と、この操作部９における指示箇所が所定の基準スライド範囲以上の範囲で連続してスライド入力されたか否か判別し、当該スライド範囲がその基準スライド範囲以上のとき、その指示箇所のスタート位置に係るリスト画像の表示エリアをそのスライド量に応じスライド方向に拡張又は縮小する２次元表示変更情報を出力する操作判別部（制御部）１７と、その表示変更情報に基づき画像表示部７における当該リスト画像の伸縮表示を制御する制御部とを具備している。
【００５５】
そのため、スライド入力する範囲を大きくすれば、表示されたリスト画像の表示領域の拡張又は縮小が可能で、見やすい画像表示形態を得ることが容易となる。
【００５６】
しかも、スライド方向を斜め右下方向にすれば２次元拡張表示が可能となるし、斜め右下方向にすれば２次元縮小表示が可能となるから、特に、リスト画像の表示領域を拡張すれば、リスト表示領域の高さが拡大して下方選択の操作性が改善されるし、リスト表示領域の幅を拡大すれば、より詳細な情報を表示することができる。
【００５７】
他方、そのスライド範囲が基準スライド範囲に達しないとき、操作判別部７がその操作入力位置に割当てられた操作選択機能と判別して当該操作選択情報を出力するから、従来の操作選択入力も可能であり、従来の操作性の確保も可能である。
【００５８】
すなわち、スライド入力する範囲の大小（長短）によって表示領域の拡張又は縮小と、当該表示画像に割当てられた操作選択入力が可能となる。
【００５９】
ところで、本発明の表示画像制御装置では、スライド方向が斜め右下方向又は斜め右下方向に限定されず、上下、左右方向で実施可能であり、スライド方向が右又は下方向要素を含むとき操作判別部１７が拡張表示変更情報を出力し、左又は上方向要素を含むとき操作判別部１７が縮小表示変更情報を出力するよう構成すればよい。
【００６０】
もっとも、本発明の表示画像制御装置では、スライド量に応じた２次元拡張表示変更情報又は２次元縮小表示変更情報を出力する構成にすれば、スライド操作感覚に応じた拡張又は縮小表示が可能である。
【００６１】
また、上述した本発明の実施の形態では、操作部９からリスト画像を拡張又は縮小する構成であったが、拡張又は縮小する画像はリスト表示に限定されず、種々の表示画像において実施可能である。
【００６２】
さらに、上述した本発明の実施の形態では、操作部９における押下（タッチ）によって指示箇所の操作入力を行う構成であったが、本発明ではこれに限定されず、例えば操作部（入力部）９としてキーボードやマウス等を用いる構成も可能である。
【００６３】
そして、本発明に係る表示画像制御装置は、複合機Ａに限らず、複写機、コンピュータ、ＰＤＡ（personal digital assistant）等の種々の電子機器に搭載して実施可能である。
【００６４】
また、本発明に係る表示画像処理プログラムにおいても、上述した本発明の表示画像制御装置と同様に効果を得ることが可能である。
【図面の簡単な説明】
【００６５】
【図１】本発明に係る表示画像制御装置を搭載した複合機の概略を示す概略ブロック図である。
【図２】本発明の表示画像制御装置における画像表示部の操作表示画面を示す図である。
【図３】本発明の表示画像制御装置における表示画像の拡張表示状態を示す図である。
【図４】本発明に係る表示画像制御装置による処理手順を示すフローチャートである。
【符号の説明】
【００６６】
１  制御部
３  画像読取部
５  記憶部
７  画像表示部
９  操作部（入力部）
１１  印刷部
１３  通信部
１５  ネットワーク
１７  操作判別部
Ａ、Ｂ  画像形成装置（複合機）
【図１】
2009128661.tif 000003
【図２】
2009128661.tif 000004
【図３】
2009128661.tif 000005
【図４】
2009128661.tif 000006